(57)【要約】【課題】機器を複数の操作装置で制御することができる制御システム、制御装置、制御方法、及びプログラムを提供する。【解決手段】制御システム１は、複数の操作装置２と、機器制御部３２と、記憶部３３と、を備える。記憶部３３は、複数の操作装置２の各々に対して、操作状態と、対応する機器の動作状態と、を関連付けて記憶する。機器制御部３２は、操作装置２の操作状態が第１状態に変化した場合、記憶部３３を参照して、操作装置２に対応する２以上の機器の動作状態をオン状態にする。機器制御部３２は、操作装置２の操作状態が第２状態に変化した場合、記憶部３３を参照して、操作装置２に対応する２以上の照明機器４からオン対象機器を除くオフ対象機器を検索し、当該オフ対象機器の動作状態をオフ状態にする。オン対象機器は、複数の操作装置２のうち第１状態である操作装置２に対応する機器である。【選択図】図１
2020140902.tif 000002
【特許請求の範囲】
【請求項１】
入力操作によって操作状態が第１状態と第２状態との間で変化する複数の操作装置と、
前記複数の操作装置の操作状態に基づいて、複数の機器に対して動作状態がオン状態とオフ状態とで切り替わるように制御する機器制御部と、
前記複数の操作装置それぞれの操作状態、及び前記複数の機器それぞれの動作状態を記憶する記憶部と、を備え、
前記複数の操作装置の各々は、前記複数の機器のうち２以上の機器と対応しており、
前記記憶部は、前記複数の操作装置の各々に対して、操作状態と、対応する前記機器の動作状態と、を関連付けて記憶し、
前記機器制御部は、
前記操作装置の操作状態が前記第１状態に変化した場合、前記記憶部を参照して、前記操作装置に対応する前記２以上の機器の動作状態をオン状態とし、
前記操作装置の操作状態が前記第２状態に変化した場合、前記記憶部を参照して、前記操作装置に対応する前記２以上の機器からオン対象機器を除くオフ対象機器を検索し、当該オフ対象機器の動作状態をオフ状態とし、
前記オン対象機器は、前記第２状態に変化した前記操作装置に対応する機器であって、前記複数の操作装置のうち前記第１状態である操作装置に対応する前記機器である、
制御システム。
【請求項２】
前記機器制御部は、前記複数の機器のうち、オン状態の前記機器の割合がオン閾値以上である場合、前記複数の機器の全てをオン状態にする一括オン制御を行う、
請求項１に記載の制御システム。
【請求項３】
前記複数の機器は、複数のグループに分類されており、
前記機器制御部は、前記複数のグループごとに、前記一括オン制御を行う、
請求項２に記載の制御システム。
【請求項４】
前記複数の機器の各々は、前記複数の操作装置のうち２以上の操作装置と対応しており、
前記機器制御部は、前記複数の機器のうち、対応する前記２以上の操作装置の全てが前記第２状態である機器の割合がオフ閾値以上である場合、対応する前記２以上の操作装置の全てが前記第２状態である機器をオフ状態にする個別オフ制御を行う、
請求項２又は３に記載の制御システム。
【請求項５】
前記複数の機器は、複数のグループに分類されており、
前記機器制御部は、前記複数のグループごとに、前記個別オフ制御を行う、
請求項４に記載の制御システム。
【請求項６】
前記機器は、照明機器であって、前記オン状態が前記照明機器の点灯状態であり、前記オフ状態が前記照明機器の消灯状態であり、
前記機器制御部は、前記照明機器を前記点灯状態から前記消灯状態にするまでの消灯遷移時間を、前記照明機器を前記消灯状態から前記点灯状態にするまでの点灯遷移時間よりも長くする、
請求項１〜５のいずれか１項に記載の制御システム。
【請求項７】
請求項１〜６のいずれか１項に記載の制御システムに用いられる制御装置であって、
前記複数の操作装置から操作状態を取得する取得部と、
前記機器制御部と、を備える、
制御装置。
【請求項８】
入力操作によって操作状態が第１状態と第２状態との間で変化する複数の操作装置の操作状態に基づいて、複数の機器に対して動作状態がオン状態とオフ状態とで切り替わるように制御する制御ステップを含み、
前記複数の操作装置の各々は、前記複数の機器のうち２以上の機器と対応しており、
前記制御ステップでは、
前記操作装置の操作状態が前記第１状態に変化した場合、複数の操作装置の各々に対して、操作状態と、対応する前記機器の動作状態と、を関連付けて記憶した記憶部を参照し、前記操作装置に対応する前記２以上の機器の動作状態をオン状態とし、
前記操作装置の操作状態が前記第２状態に変化した場合、前記記憶部を参照して、前記操作装置に対応する前記２以上の機器からオン対象機器を除くオフ対象機器を検索し、当該オフ対象機器の動作状態をオフ状態とし、
前記オン対象機器は、前記第２状態に変化した前記操作装置に対応する機器であって、前記複数の操作装置のうち前記第１状態である操作装置に対応する前記機器である、
制御方法。
【請求項９】
コンピュータシステムに、請求項８に記載の制御方法を実行させるためのプログラム。
【発明の詳細な説明】
【技術分野】
【０００１】
本開示は、一般に制御システム、制御装置、制御方法、及びプログラムに関し、より詳細には機器を制御する制御システム、制御装置、制御方法、及びプログラムに関する。
【背景技術】
【０００２】
従来、照明器具（機器）を制御する照明制御システム（制御システム）がある（例えば、特許文献１参照）。
【０００３】
特許文献１の照明制御システムでは、照明制御部は、スイッチ装置からの制御命令に基づいて、対象の照明器具の照明状態を制御する。スイッチ装置は、例えば壁に設けられており、通信線に接続されている。スイッチ装置は、例えば複数のプッシュボタンスイッチを備えている。各プッシュボタンスイッチは、１つの照明器具、あるいはグループと対応付けられている。スイッチ装置は、プッシュボタンスイッチが押されると、押されたプッシュボタンスイッチに対応する照明器具、あるいは対応するグループに属する照明器具の照明状態を指示する制御命令をコントローラに出力する。
【０００４】
コントローラは、複数の照明器具に対して照明制御信号を送信することにより、複数の照明器具の照明状態を個別又は一括に制御する。
【先行技術文献】
【特許文献】
【０００５】
【特許文献１】特開２０１８−００６２２１号公報
【発明の概要】
【発明が解決しようとする課題】
【０００６】
特許文献１の照明制御システムでは、スイッチ装置の各プッシュボタンスイッチが、１又は複数の照明機器と一対一に対応付けられていた。そのため、各照明機器を、複数のプッシュボタンスイッチで制御することができなかった。
【０００７】
本開示は、上記事由に鑑みてなされており、その目的は、機器を複数の操作装置で制御することができる制御システム、制御装置、制御方法、及びプログラムを提供することにある。
【課題を解決するための手段】
【０００８】
本開示の一態様に係る制御システムは、複数の操作装置と、機器制御部と、記憶部と、を備える。前記複数の操作装置は、入力操作によって操作状態が第１状態と第２状態との間で変化する。前記機器制御部は、前記複数の操作装置の操作状態に基づいて、複数の機器に対して動作状態がオン状態とオフ状態とで切り替わるように制御する。前記記憶部は、前記複数の操作装置それぞれの操作状態、及び前記複数の機器それぞれの動作状態を記憶する。前記複数の操作装置の各々は、前記複数の機器のうち２以上の機器と対応している。前記記憶部は、前記複数の操作装置の各々に対して、操作状態と、対応する機器の動作状態と、を関連付けて記憶する。前記機器制御部は、前記操作装置の操作状態が第１状態に変化した場合、前記記憶部を参照して、前記操作装置に対応する２以上の機器の動作状態をオン状態にする。前記機器制御部は、前記操作装置の操作状態が第２状態に変化した場合、前記記憶部を参照して、前記操作装置に対応する前記２以上の機器からオン対象機器を除くオフ対象機器を検索し、当該オフ対象機器の動作状態をオフ状態にする。前記オン対象機器は、前記第２状態に変化した前記操作装置に対応する機器であって、前記複数の操作装置のうち第１状態である操作装置に対応する前記機器である。
【０００９】
本開示の一態様に係る制御装置は、前記制御システムに用いられる制御装置であって、前記複数の操作装置から操作状態を取得する取得部と、前記機器制御部と、を備える。
【００１０】
本開示の一態様に係る制御方法は、入力操作によって操作状態が第１状態と第２状態との間で変化する複数の操作装置の操作状態に基づいて、複数の機器に対して動作状態がオン状態とオフ状態とで切り替わるように制御する制御ステップを含む。前記複数の操作装置の各々は、前記複数の機器のうち２以上の機器と対応している。前記制御ステップでは、前記操作装置の操作状態が前記第１状態に変化した場合、複数の操作装置の各々に対して、操作状態と、対応する前記機器の動作状態と、を関連付けて記憶した記憶部を参照し、前記操作装置に対応する前記２以上の機器の動作状態をオン状態とする。前記制御ステップでは、前記操作装置の操作状態が前記第２状態に変化した場合、前記記憶部を参照して、前記操作装置に対応する前記２以上の機器からオン対象機器を除くオフ対象機器を検索し、当該オフ対象機器の動作状態をオフ状態とする。前記オン対象機器は、前記第２状態に変化した前記操作装置に対応する機器であって、前記複数の操作装置のうち前記第１状態である操作装置に対応する前記機器である。
【００１１】
本開示の一態様に係るプログラムは、コンピュータシステムに、前記制御方法を実行させる。
【発明の効果】
【００１２】
本開示では、機器を複数の操作装置で制御することができるという効果がある。
【図面の簡単な説明】
【００１３】
【図１】図１は、本開示の一実施形態に係る制御システムのブロック図である。
【図２】図２は、同上の制御システムが導入されるオフィスの概略図である。
【図３】図３Ａ〜図３Ｄは、同上の制御システムの動作説明図である。
【発明を実施するための形態】
【００１４】
以下に説明する実施形態及び変形例は、本開示の一例に過ぎず、本開示は、実施形態及び変形例に限定されない。この実施形態及び変形例以外であっても、本開示の技術的思想を逸脱しない範囲であれば、設計等に応じて種々の変更が可能である。
【００１５】
（実施形態）
本実施形態の制御システム１について、図１〜図３Ｄを参照して説明する。
【００１６】
制御システム１は、複数の機器を制御する。本実施形態では、制御システム１は、例えば会社等の非住宅施設に用いられ、オフィス５０に設けられている複数の照明機器４（機器）を制御する場合を例に説明する（図２参照）。
【００１７】
オフィス５０には、従業員が利用する複数の座席５が並べて設けられている。図２に示す例では、オフィス５０には、図２における左右方向に４つ、上下方向に５つの合計２０個の座席５が並べて設けられている。また、オフィス５０には、図２における左右方向に５つ、上下方向に５つの合計２５個の照明機器４が設けられている。２５個の照明機器４のうち、２０個の照明機器４は、２０個の座席５の真上、又はその付近に設けられている。
【００１８】
２０個の座席５を区別する場合、第１座席Ｄ１、第２座席Ｄ２、第３座席Ｄ３、・・・第２０座席Ｄ２０という。また、２５個の照明機器４を区別する場合、第１照明機器Ｌ１、第２照明機器Ｌ２、第３照明機器Ｌ３、・・・第２５照明機器Ｌ２５という。第１照明機器Ｌ１〜第２０照明機器Ｌ２０は、それぞれ第１座席Ｄ１〜第２０座席Ｄ２０の真上に設けられている。
【００１９】
近年、従業員の座席５が決まっていないフリーアドレスオフィスがある。このフリーアドレスオフィスでは、各従業員の座席５が決まっておらず、従業員は空いている座席５で作業を行う。そのため、オフィス５０内において、人の人数、人がいる場所などが、日ごと、時間帯ごとにまばらとなる。また、省エネ化のためには、人がいる座席５の付近の照明機器４を点灯させ、その他の照明機器４を消灯することが好ましい。
【００２０】
本実施形態の制御システム１は、複数（図２では２０個）の操作装置２と、機器制御部３２と、記憶部３３と、を備えている。
【００２１】
各操作装置２は、入力操作によって操作状態が第１状態（在席状態）と第２状態（退席状態）との間で変化する。
【００２２】
機器制御部３２は、複数の操作装置２の操作状態に基づいて、複数の照明機器４（機器）に対して動作状態がオン状態（点灯状態）とオフ状態（消灯状態）とで切り替わるように制御する。
【００２３】
記憶部３３は、複数の操作装置２それぞれの操作状態（在席状態、退席状態）、及び複数の照明機器４それぞれの動作状態（点灯状態、消灯状態）を記憶する。
【００２４】
複数の操作装置２の各々は、複数の照明機器４のうち２以上の照明機器４と対応している。
【００２５】
記憶部３３は、複数の操作装置２の各々に対して、操作状態（在席状態、退席状態）と、対応する照明機器４の動作状態（点灯状態、消灯状態）と、を関連付けて記憶する。
【００２６】
機器制御部３２は、操作装置２の操作状態が第１状態（在席状態）に変化した場合、記憶部３３を参照して、この操作装置２に対応する２以上の照明機器４の動作状態をオン状態（点灯状態）にする。機器制御部３２は、操作装置２の操作状態が第２状態（退席状態）に変化した場合、記憶部３３を参照して、この操作装置２に対応する２以上の照明機器４からオン対象機器を除くオフ対象機器を検索し、このオフ対象機器の動作状態をオフ状態（消灯状態）にする。オン対象機器は、第２状態に変化した操作装置２に対応する照明機器４であって、複数の操作装置２のうち第１状態である操作装置２に対応する機器である。
【００２７】
本実施形態の制御システム１では、各操作装置２が２以上の照明機器４と対応している。また、各照明機器４は、２以上の操作装置２と対応している。
【００２８】
操作装置２の操作状態が在席状態に変化すると、この操作装置２に対応する２以上の照明機器４を点灯する。言い換えれば、各照明機器４は、対応する２以上の操作装置２のうちいずれか１つの操作装置２が在席状態であれば点灯する。また、各照明機器４は、対応する２以上の操作装置２の全てが退席状態である場合に消灯する。
【００２９】
本実施形態では、オフィス５０の各座席５に操作装置２が配置されている。各操作装置２は、直近の照明機器４、及びその周囲の照明機器４が対応付けられている。これにより、座席５に設けられた操作装置２を在席状態にした場合、その座席５周辺の照明機器４が点灯する。また、操作装置２を退席状態にした場合、その座席５の周囲の座席５に人がいなければ、座席５の周囲の照明機器４が消灯される。これにより、人がいる座席５がまばらな状態であっても、人がいないエリアの照明機器４を消灯させることができ、省エネ化を図ることができる。
【００３０】
以下に、本実施形態に係る制御システム１の詳細について説明する。
【００３１】
制御システム１は、複数（本実施形態では２０個）の操作装置２と、制御装置３と、を備えている。
【００３２】
２０個の操作装置２は、それぞれ２０個の座席５の机に１つずつ配置されている。つまり、複数の操作装置２は、複数の座席５と一対一に対応している。２０個の操作装置２を区別する場合、第１操作装置ＳＷ１、第２操作装置ＳＷ２、第３操作装置ＳＷ３、・・・第２０操作装置ＳＷ２０という。
【００３３】
操作装置２は、自装置（操作装置２）が設けられている座席５の利用状況を周囲に知らせ、かつ、その利用状況を無線信号で制御装置３に出力するスイッチ装置である。
【００３４】
操作装置２は、操作部２１と、表示部２２と、発電部２３と、出力部２４と、を備えている。
【００３５】
操作部２１は、ユーザの入力操作によって移動するように構成されている。本実施形態では、操作部２１は、入力操作として、一方向に沿った往復のスライド操作が可能に構成されている。操作部２１は、例えば、ユーザが指を掛けるつまみを有しており、一方向に沿った移動範囲の一端である第１位置と、他端である第２位置と、の間で往復移動が可能に構成されている。操作部２１は、入力操作として、第１位置から第２位置に向かう方向に移動される第１操作、及び第２位置から第１位置に向かう方向に移動される第２操作が行われる。
【００３６】
表示部２２は、対応する座席５の利用状況を表示するように構成されている。表示部２２は、例えば、座席５が利用中であることを示す「在席」という表記と、座席５が空いていることを示す「退席」という表記と、の２つの表記を有している。表示部２２は、操作部２１の移動に応じて、２つの表記（「在席」、「退席」）のうち、一方の表記が選択的に露出し、他方の表記が選択的に被覆されるように構成されている。例えば、表示部２２は、操作部２１と一体に移動することにより、筐体の開口から一方の表記のみが露出する。例えば、操作部２１が第１位置にある第１状態では、表示部２２の「在席」という表記が露出し、操作部２１が第２位置にある第２状態では、表示部２２の「退席」という表記が露出する。この結果、表示部２２における露出している表記により、周囲に座席５の利用状況を知らせることができる。
【００３７】
発電部２３は、ユーザによる操作部２１への入力操作によって発電するように構成されている。発電部２３は、例えば、コイル及び磁石を有している。磁石は、操作部２１のスライド操作（入力操作）に伴って移動するように構成されている。操作部２１へのスライド操作（入力操作）により、コイルと磁石との間の距離が変化することにより、電磁誘導によって電力が発生する。なお、発電部２３は、圧電素子を有し、操作部２１の移動に伴う圧電素子の振動による振動発電を行うように構成されていてもよい。
【００３８】
出力部２４は、無線信号を送信可能な無線通信モジュールである。出力部２４は、操作部２１が移動すると、操作部２１の移動により発電部２３が発電した電力を用いて無線信号を送信するように構成されている。無線信号には、操作情報及び識別情報を含まれている。
【００３９】
操作情報とは、ユーザによる入力操作の内容に応じた情報である。つまり、操作情報とは、操作部２１の移動方向を示す情報であって、操作部２１が第１状態から第２状態に変化したか、操作部２１が第２状態から第１状態に変化したか、を示している。言い換えれば、操作情報は、入力操作による移動後の操作部２１の位置が第１位置（「在席」表記）であるか第２位置（「退席」表記）であるかを示している。
【００４０】
識別情報とは、操作装置２を識別するための情報である。本実施形態では、各操作装置２に割り当てられた固有のアドレスが識別情報として用いられている。識別情報は、例えば操作装置２が有するメモリに記憶されている。
【００４１】
操作装置２は、例えば、ユーザによって、座席５の利用開始時に、操作部２１が第２状態（「退席」表記）から第１状態（「在席」表記）に変化するように入力操作されることにより、操作情報及び識別情報を出力する。また、操作装置２は、例えば、ユーザによって、座席５の利用終了時に操作部２１が第１状態（「在席」表記）から第２状態（「退席」表記）に変化するように入力操作されることにより、操作情報及び識別情報を出力する。つまり、操作装置２が出力する操作情報は、座席５の利用開始、及び利用終了、言い換えれば座席５における人の存否を示している。
【００４２】
制御装置３は、通信部３１と、機器制御部３２と、記憶部３３と、を備えている。
【００４３】
制御装置３は、例えばプロセッサ及びメモリを有するマイクロコンピュータを有している。そして、プロセッサがメモリに格納されているプログラムを実行することにより、マイクロコンピュータが機器制御部３２として機能する。プロセッサが実行するプログラムは、ここではマイクロコンピュータのメモリに予め記録されているが、メモリカード等の非一時的な記録媒体に記録されて提供されてもよいし、インターネット等の電気通信回線を通じて提供されてもよい。
【００４４】
通信部３１（取得部）は、操作装置２からの無線信号を受信可能な通信モジュールを有している。つまり、通信部３１は、操作装置２から操作情報及び識別情報を取得する。通信部３１は、操作装置２から出力された無線信号を直接的に受信してもよいし、中継装置等を介して受信してもよい。通信部３１と中継装置との間の通信方式は、無線通信であってもよいし、有線通信であってもよい。
【００４５】
機器制御部３２は、操作装置２からの無線信号に含まれる、操作情報、及び識別情報に基づいて、照明機器４を制御するように構成されている。具体的には、機器制御部３２は、通信部３１を介して操作装置２からの操作情報及び識別情報を受信すると、記憶部３３を参照して制御対象の照明機器４を検索し、検索によって得られた照明機器４を点灯又は消灯させる制御を行う。
【００４６】
記憶部３３は、ＲＯＭ（Read Only Memory）、ＲＡＭ（Random Access Memory）、又はＥＥＰＲＯＭ（Electrically Erasable Programmable Read Only Memory）等から選択される記憶デバイスで構成される。
【００４７】
記憶部３３は、複数の操作装置２と複数の照明機器４との対応関係を記憶している。各操作装置２は、複数の照明機器４に対応付けられている。本実施形態では、操作装置２は、自装置（操作装置２）が設けられている座席５の真上の照明機器４と、この照明機器４の周囲の照明機器４が対応付けられている。具体的には、操作装置２は、自装置（操作装置２）が設けられている座席５の真上の照明機器４と、この照明機器４を中心とした八方向（０°、４５°、９０°、１３５°、１８０°、２２５°、２７０°、３１５°）の照明機器４に対応付けられている。ここでは、図２において、中心の照明機器４に対して上方向、右上方向、右方向、右下方向、下方向、左下方向、左方向、及び左上方向をそれぞれ、０°、４５°、９０°、１３５°、１８０°、２２５°、２７０°、及び３１５°の方向としている。
【００４８】
例えば、第１３座席Ｄ１３に設けられている第１３操作装置ＳＷ１３は、第１３座席Ｄ１３の真上に設けられている第１３照明機器Ｌ１３に対応付けられている。さらに、第１３操作装置ＳＷ１３は、第１３照明機器Ｌ１３を中心とした八方向に存在する第７〜第９，第１２，第１４，第１７〜第１９照明機器Ｌ７〜Ｌ９，Ｌ１２，Ｌ１４，Ｌ１７〜Ｌ１９に対応付けられている。
【００４９】
また、第１０座席Ｄ１０に設けられている第１０操作装置ＳＷ１０は、第１０座席Ｄ１０の真上に設けられている第１０照明機器Ｌ１０に対応付けられている。第１０照明機器Ｌ１０は、図２における下端位置に配置されている。したがって、第１０操作装置ＳＷ１０は、第１０照明機器Ｌ１０を中心とした八方向のうち五方向（０°、４５°、９０°、２７０°、３１５°）に存在する第４，第５，第９，第１４，第１５照明機器Ｌ４，Ｌ５，Ｌ９，Ｌ１４，Ｌ１５に更に対応付けられている。
【００５０】
さらに、記憶部３３は、複数の操作装置２それぞれの操作状態（在席状態、退席状態）、及び複数の照明機器４それぞれの動作状態（点灯状態、消灯状態）を記憶している。具体的には、記憶部３３は、各操作装置２に対して、操作状態と、対応する照明機器４の動作状態と、を関連付けたデータテーブルを記憶している（表１参照）。
【００５１】
【表１】
2020140902.tif 000003
【００５２】
表１では、各操作装置２の操作状態が退席状態であり、各照明機器４の動作状態が消灯状態である。
【００５３】
機器制御部３２は、操作装置２からの操作情報及び識別情報を受信すると、記憶部３３に記憶されているデータテーブルを参照して制御対象の照明機器４を検索し、検索によって得られた制御対象の照明機器４を点灯又は消灯させる制御を行う。
【００５４】
機器制御部３２は、入力操作された操作装置２に対応する複数の照明機器４を検索する。そして、機器制御部３２は、操作情報が、入力操作による移動後の操作部２１の位置が第１位置（「在席」表記）であることを示している場合、検索によって得られた複数の照明機器４の全てを点灯させる点灯制御を行う。このとき、照明機器４が既に点灯状態である場合、その照明機器４の点灯状態は維持される。
【００５５】
また、機器制御部３２は、操作情報が、入力操作による移動後の操作部２１の位置が第２位置（「退席」表記）であることを示している場合、検索によって得られた複数の照明機器４からオン対象機器を除くオフ対象機器を更に検索する。オン対象機器とは、複数の操作装置２のうち第１状態（在席状態）である操作装置２に対応する照明機器４である。機器制御部３２は、検索によって得られたオフ対象機器（照明機器４）を消灯させる消灯制御を行う。
【００５６】
機器制御部３２の詳細な動作については、以下の動作例の欄で説明する。
【００５７】
（動作例）
次に、本実施形態の制御システム１の動作例について図３Ａ〜図３Ｄを参照して説明する。なお、図３Ａ〜図３Ｄは、各照明機器４の位置、及び動作状態（点灯状態、消灯状態）を模式的に示している。図３Ａ〜図３Ｄにおいて、照明機器４の点灯状態をドットハッチングで示している。
【００５８】
ここでは、初期状態として、全ての操作装置２が退席状態であり、全ての照明機器４が消灯状態であるとする（図３Ａ参照）。
【００５９】
まず、一人目のユーザ（第１ユーザ）が、第１３座席Ｄ１３を利用するとする。この第１ユーザは、第１３座席Ｄ１３に設けられている第１３操作装置ＳＷ１３に対して、第２状態（退席状態）から第１状態（在席状態）となるように入力操作を行う。これにより、第１３操作装置ＳＷ１３は、操作情報及び識別情報を制御装置３に出力する。
【００６０】
制御装置３は、第１３操作装置ＳＷ１３からの操作情報及び識別情報を受信する。機器制御部３２は、記憶部３３のデータベース（表１参照）を参照して、第１３操作装置ＳＷ１３に対応する照明機器４を検索する。第１３操作装置ＳＷ１３に対応する照明機器４は、第７〜第９，第１２〜第１４，第１７〜第１９照明機器Ｌ７〜Ｌ９，Ｌ１２〜Ｌ１４，Ｌ１７〜Ｌ１９である。
【００６１】
ここでは、制御装置３が受信した操作情報は、入力操作による移動後の操作部２１の位置が第１位置（「在席」表記）であることを示している。したがって、機器制御部３２は、検索によって得られた第７〜第９，第１２〜第１４，第１７〜第１９照明機器Ｌ７〜Ｌ９，Ｌ１２〜Ｌ１４，Ｌ１７〜Ｌ１９を点灯させる点灯制御を行う。この点灯制御によって、第７〜第９，第１２〜第１４，第１７〜第１９照明機器Ｌ７〜Ｌ９，Ｌ１２〜Ｌ１４，Ｌ１７〜Ｌ１９が点灯状態となる（図３Ｂ参照）。また、記憶部３３に記憶されている操作装置２の操作状態、及び照明機器４の動作状態が更新される（表２参照）。
【００６２】
【表２】
2020140902.tif 000004
【００６３】
次に、二人目のユーザ（第２ユーザ）が、第１０座席Ｄ１０を利用するとする。この第２ユーザは、第１０座席Ｄ１０に設けられている第１０操作装置ＳＷ１０に対して、第２状態（退席状態）から第１状態（在席状態）となるように入力操作を行う。これにより、第１０操作装置ＳＷ１０は、操作情報及び識別情報を制御装置３に出力する。
【００６４】
制御装置３は、第１０操作装置ＳＷ１０からの操作情報及び識別情報を受信する。機器制御部３２は、記憶部３３のデータベース（表２参照）を参照して、第１０操作装置ＳＷ１０に対応する照明機器４を検索する。第１０操作装置ＳＷ１０に対応する照明機器４は、第４，第５，第９，第１０，第１４，第１５照明機器Ｌ４，Ｌ５，Ｌ９，Ｌ１０，Ｌ１４，Ｌ１５である。
【００６５】
ここでは、制御装置３が受信した操作情報は、入力操作による移動後の操作部２１の位置が第１位置（「在席」表記）であることを示している。したがって、機器制御部３２は、検索によって得られた第４，第５，第９，第１０，第１４，第１５照明機器Ｌ４，Ｌ５，Ｌ９，Ｌ１０，Ｌ１４，Ｌ１５を点灯させる点灯制御を行う。この点灯制御によって、第４，第５，第９，第１０，第１４，第１５照明機器Ｌ４，Ｌ５，Ｌ９，Ｌ１０，Ｌ１４，Ｌ１５が点灯状態となる（図３Ｃ参照）。ここでは、第９，第１４照明機器Ｌ９，Ｌ１４が既に点灯状態であるため、その点灯状態が維持される。また、記憶部３３に記憶されている操作装置２の操作状態、及び照明機器４の動作状態が更新される（表３参照）。
【００６６】
【表３】
2020140902.tif 000005
【００６７】
次に、第１３座席Ｄ１３を利用していた第１ユーザが退席するとする。この第１ユーザは、第１３座席Ｄ１３に設けられている第１３操作装置ＳＷ１３に対して、第１状態（在席状態）から第２状態（退席状態）となるように入力操作を行う。これにより、第１３操作装置ＳＷ１３は、操作情報及び識別情報を制御装置３に出力する。
【００６８】
制御装置３は、第１３操作装置ＳＷ１３からの操作情報及び識別情報を受信する。機器制御部３２は、記憶部３３のデータベース（表３参照）を参照して、第１３操作装置ＳＷ１３に対応する照明機器４を検索する。第１３操作装置ＳＷ１３に対応する照明機器４は、第７〜第９，第１２〜第１４，第１７〜第１９照明機器Ｌ７〜Ｌ９，Ｌ１２〜Ｌ１４，Ｌ１７〜Ｌ１９である。
【００６９】
さらに、機器制御部３２は、複数の操作装置２のうち、第１３操作装置ＳＷ１３以外で操作状態が在席状態である照明機器４を検索する。ここでは、第１０操作装置ＳＷ１０が在席状態である。
【００７０】
機器制御部３２は、第１３操作装置ＳＷ１３に対応する複数の照明機器４と、第１０操作装置ＳＷ１０に対応する複数の照明機器４とで、重複する照明機器４を検索する。ここでは、第９，第１４照明機器Ｌ９，Ｌ１４が重複している。この重複している第９，第１４照明機器Ｌ９，Ｌ１４がオン対象機器である。
【００７１】
機器制御部３２は、第１３操作装置ＳＷ１３に対応する複数の照明機器４のうち、オン対象機器である第９，第１４照明機器Ｌ９，Ｌ１４を除く複数の照明機器４をオフ対象機器として検索する。ここでは、オフ対象機器は、第７，第８，第１２，第１３，第１７〜第１９照明機器Ｌ７，Ｌ８，Ｌ１２，Ｌ１３，Ｌ１７〜Ｌ１９である。機器制御部３２は、オフ対象機器である第７，第８，第１２，第１３，第１７〜第１９照明機器Ｌ７，Ｌ８，Ｌ１２，Ｌ１３，Ｌ１７〜Ｌ１９を消灯させる消灯制御を行う。この消灯制御によって、第７，第８，第１２，第１３，第１７〜第１９照明機器Ｌ７，Ｌ８，Ｌ１２，Ｌ１３，Ｌ１７〜Ｌ１９が消灯状態となる（図３Ｄ参照）。また、記憶部３３に記憶されている操作装置２の操作状態、及び照明機器４の動作状態が更新される（表４）。
【００７２】
【表４】
2020140902.tif 000006
【００７３】
本実施形態の制御システム１では、各座席５に操作装置２が配置されている。各操作装置２は、直近の照明機器４及びその周囲の照明機器４を点灯又は消灯させるためのスイッチ装置として機能する。これにより、在席中の座席５周辺のみの照明機器４が点灯するので、不要な照明機器４を消灯状態とすることができ、省エネ化を図ることができる。
【００７４】
また、ユーザが退席した場合、まだ在席中の座席５の周囲を除いた照明機器４が消灯される。そのため、在席中のユーザは、周囲の照明機器４が点灯したままなので、照明機器４が消灯したことによる違和感が軽減される。
【００７５】
（変形例）
以下に、本実施形態の制御システム１の変形例について説明する。
【００７６】
機器制御部３２は、複数の照明機器４のうち、点灯状態の照明機器４の割合（点灯割合）がオン閾値以上である場合、複数の照明機器４の全てを点灯状態にしてもよい。
【００７７】
ユーザの増加に伴い在席状態である操作装置２の数が増加するので、点灯状態の照明機器４の数も増加する。機器制御部３２は、複数の照明機器４（第１〜第２５照明機器Ｌ１〜Ｌ２５）のうち、点灯状態の照明機器４の割合（点灯割合）を算出し、点灯割合と所定のオン閾値とを比較する。機器制御部３２は、点灯割合がオン閾値以上になると、複数の照明機器４（第１〜第２５照明機器Ｌ１〜Ｌ２５）の全てを点灯状態とする一括オン制御を行う。つまり、機器制御部３２は、在席状態の操作装置２に対応していない照明機器４も点灯状態とする。これにより、在席中の座席５の数が比較的多い場合における、まばら点灯が抑制される。
【００７８】
さらに、機器制御部３２は、複数の照明機器４のうち、対応する２以上の操作装置２の全てが退席状態（第２状態）である照明機器４の割合（消灯割合）が、オフ閾値以上である場合、対応する２以上の操作装置２の全てが退席状態（第２状態）である照明機器４を消灯状態にしてもよい。
【００７９】
上述した一括オン制御によって、複数の照明機器４の全てが点灯している状態から、ユーザが退席したとする。これにより、退席状態である操作装置２の数が増加する。これにより、複数の照明機器４において、対応している２以上の操作装置２のすべてが退席状態である照明機器４の数が増加する。機器制御部３２は、複数の照明機器４（第１〜第２５照明機器Ｌ１〜Ｌ２５）のうち、対応する２以上の操作装置２の全てが退席状態である照明機器４の割合（消灯割合）を算出し、消灯割合と所定のオフ閾値とを比較する。機器制御部３２は、消灯割合がオフ閾値以上になると、複数の照明機器４のうち、対応する２以上の操作装置２の全てが退席状態である照明機器４を消灯状態とする個別オフ制御を行う。これにより、在席中の座席５の数が比較的多い状態から、退席中の座席５の数が比較的多い状態に変化すると、在席中の座席５の周囲を除いた照明機器４が消灯される。したがって、省エネ化を図ることができる。
【００８０】
なお、オン閾値［％］は、１００％からオフ閾値［％］を引いた値とは異なる値であることが好ましい。例えば、オン閾値及びオフ閾値は、共に５０％である場合、在席中の座席５の増減によって点灯割合及び消灯割合が５０％前後で変化すると、照明機器４の点灯／消灯が繰り返されるおそれがある。そのため、照明機器４の点灯／消灯の回数を抑制するために、オン閾値［％］は、１００％からオフ閾値［％］を引いた値とは異なる値であることが好ましい。また、また、オン閾値［％］は、１００％からオフ閾値［％］を引いた値よりも大きいことが好ましい。
【００８１】
また、複数の照明機器４は、複数のグループに分類されており、機器制御部３２は、複数のグループごとに、一括オン制御及び個別オフ制御するように構成されていてもよい。
【００８２】
例えば、オフィス５０が複数あり、複数のオフィス５０のそれぞれには、複数の照明機器４が設けられているとする。１つのオフィス５０に設けられている複数の照明機器４を１つのグループに分類する。つまり、複数のオフィス５０のそれぞれには、複数の照明機器４が１つのグループとして設けられている。また、複数のオフィス５０のそれぞれには、複数の操作装置２が設けられている。複数の操作装置２の各々は、自装置（操作装置２）と同じオフィス５０に設けられている照明機器４と対応する。
【００８３】
機器制御部３２は、各オフィス５０に設けられている複数の照明機器４を、同じオフィス５０に設けられている複数の操作装置２の入力操作に基づいて制御する。また、機器制御部３２は、複数のオフィス５０ごと（グループごと）に、一括オン制御及び個別オフ制御する。機器制御部３２は、１つのグループに属する複数の照明機器４のうち、点灯状態の照明機器４の割合（点灯割合）がオン閾値以上になると、このグループに属する複数の照明機器４の全てを点灯状態にする一括オン制御を行う。また、機器制御部３２は、１つのグループに属する複数の照明機器４のうち、対応する２以上の操作装置２の全てが退席状態である照明機器４の割合（消灯割合）がオフ閾値以上になると、対応する２以上の操作装置２の全てが退席状態である照明機器４を消灯状態とする個別オフ制御を行う。
【００８４】
これにより、グループ単位で複数の照明機器４を制御することができる。
【００８５】
なお、ここでは、１つのオフィス５０に設けられている複数の照明機器４を１つのグループとしたが、これに限らない。例えば、同じオフィス５０に設けられている複数の照明機器４を、エリアごとにグループ分けしてもよい。
【００８６】
また、機器制御部３２は、照明機器４を点灯及び消灯させる際にフェード制御を行ってもよい。フェード制御とは、照明機器４を点灯又は消灯させる際に、調光度を徐々に変化させる制御である。機器制御部３２は、フェード制御において、照明機器４を消灯させる際の消灯遷移時間を、照明機器４を点灯させる際の点灯遷移時間よりも長くすることが好ましい。消灯遷移時間とは、照明機器４を点灯状態から消灯状態にするまでに要する遷移時間である。点灯遷移時間とは、照明機器４を消灯状態から点灯状態にするまでに要する遷移時間である。消灯遷移時間を点灯遷移時間よりも長くすることによって、在席中のユーザが照明機器４が消灯したことによる違和感を軽減することができる。
【００８７】
また、上述した例では、操作装置２は、操作情報及び識別情報を無線信号で出力するように構成されていたが、有線信号により出力するように構成されていてもよい。
【００８８】
また、操作装置２は、入力操作に応じて発電部２３が発電した電力を用いて操作情報及び識別情報を出力する、いわゆるエナジーハーベスタスイッチであるが、これに限らない。操作装置２は、それぞれ電池を有し、電池に蓄えられた電力を用いて操作情報及び識別情報を出力するように構成されていてもよい。
【００８９】
また、上述した例では、機器制御部３２は、制御対象の機器として照明機器４を制御しているが、機器の種類は照明機器４に限らない。例えば、機器制御部３２は、制御対象の機器として空調装置等を制御してもよい。
【００９０】
制御システム１と同様の機能は、制御方法、コンピュータプログラム、又はプログラムを記録した非一時的な記録媒体等で具現化されてもよい。一態様に係る制御方法は、入力操作によって操作状態が第１状態と第２状態との間で変化する複数の操作装置２の操作状態に基づいて、複数の照明機器４に対して動作状態がオン状態とオフ状態とで切り替わるように制御する制御ステップを含む。複数の操作装置２の各々は、複数の照明機器４のうち２以上の照明機器４と対応している。制御ステップでは、操作装置２の操作状態が第１状態に変化した場合、複数の操作装置２の各々に対して、操作状態と、対応する照明機器４の動作状態と、を関連付けて記憶した記憶部３３を参照し、操作装置２に対応する２以上の照明機器４の動作状態をオン状態とする。制御ステップでは、操作装置２の操作状態が第２状態に変化した場合、記憶部３３を参照して、操作装置２に対応する２以上の照明機器４からオン対象機器を除くオフ対象機器を検索し、当該オフ対象機器の動作状態をオフ状態とする。オン対象機器は、第２状態に変化した操作装置２に対応する照明機器４であって、複数の操作装置２のうち第１状態である操作装置２に対応する照明機器４である。
【００９１】
一態様に係る（コンピュータ）プログラムは、コンピュータシステムに、上記の制御方法を実行させるためのプログラムである。 
【００９２】
本開示における制御システム１は、コンピュータシステムを含んでいる。コンピュータシステムは、ハードウェアとしてのプロセッサ及びメモリを主構成とする。コンピュータシステムのメモリに記録されたプログラムをプロセッサが実行することによって、本開示における制御システム１としての機能が実現される。プログラムは、コンピュータシステムのメモリに予め記録されてもよく、電気通信回線を通じて提供されてもよく、コンピュータシステムで読み取り可能なメモリカード、光学ディスク、ハードディスクドライブ等の非一時的記録媒体に記録されて提供されてもよい。コンピュータシステムのプロセッサは、半導体集積回路（ＩＣ）又は大規模集積回路（ＬＳＩ）を含む１ないし複数の電子回路で構成される。ここでいうＩＣ又はＬＳＩ等の集積回路は、集積の度合いによって呼び方が異なっており、システムＬＳＩ、ＶＬＳＩ（Very Large Scale Integration）、又はＵＬＳＩ（Ultra Large Scale Integration）と呼ばれる集積回路を含む。さらに、ＬＳＩの製造後にプログラムされる、ＦＰＧＡ（Field-Programmable Gate Array）、又はＬＳＩ内部の接合関係の再構成若しくはＬＳＩ内部の回路区画の再構成が可能な論理デバイスについても、プロセッサとして採用することができる。複数の電子回路は、１つのチップに集約されていてもよいし、複数のチップに分散して設けられていてもよい。複数のチップは、１つの装置に集約されていてもよいし、複数の装置に分散して設けられていてもよい。ここでいうコンピュータシステムは、１以上のプロセッサ及び１以上のメモリを有するマイクロコントローラを含む。したがって、マイクロコントローラについても、半導体集積回路又は大規模集積回路を含む１ないし複数の電子回路で構成される。
【００９３】
また、上述した例では、機器制御部３２と記憶部３３とが同じ筐体に設けられているが、当該構成は制御システム１に必須の構成ではなく、機器制御部３２と記憶部３３とが別の筐体に設けられていてもよい。また、記憶部３３は、サーバ（クラウドサーバを含む）に設けられていてもよい。
【００９４】
（まとめ）
第１態様に係る制御システム（１）は、複数の操作装置（２）と、機器制御部（３２）と、記憶部（３３）と、を備える。複数の操作装置（２）は、入力操作によって操作状態が第１状態と第２状態との間で変化する。機器制御部（３２）は、複数の操作装置（２）の操作状態に基づいて、複数の機器（照明機器４）に対して動作状態がオン状態とオフ状態とで切り替わるように制御する。記憶部（３３）は、複数の操作装置（２）それぞれの操作状態、及び複数の機器それぞれの動作状態を記憶する。複数の操作装置（２）の各々は、複数の機器のうち２以上の機器と対応している。記憶部（３３）は、複数の操作装置（２）の各々に対して、操作状態と、対応する機器の動作状態と、を関連付けて記憶する。機器制御部（３２）は、操作装置（２）の操作状態が第１状態に変化した場合、記憶部（３３）を参照して、操作装置（２）に対応する２以上の機器の動作状態をオン状態にする。機器制御部（３２）は、操作装置（２）の操作状態が第２状態に変化した場合、記憶部（３３）を参照して、操作装置（２）に対応する２以上の機器からオン対象機器を除くオフ対象機器を検索し、当該オフ対象機器の動作状態をオフ状態にする。オン対象機器は、第２状態に変化した操作装置（２）に対応する機器であって、複数の操作装置（２）のうち第１状態である操作装置（２）に対応する機器である。
【００９５】
この態様によれば、機器は、対応する複数の操作装置（２）のうち、少なくともいずれかの１つの操作装置（２）が第１状態であればオン状態となり、全ての操作装置（２）が第２状態であればオフ状態となる。したがって、複数の操作装置（２）の入力操作の組み合わせに応じて機器を制御することができる。つまり、機器を複数の操作装置（２）で制御することができ、利便性の向上を図ることができる。
【００９６】
第２態様に係る制御システム（１）では、第１態様において、機器制御部（３２）は、複数の機器のうち、オン状態の機器の割合がオン閾値以上である場合、複数の機器の全てをオン状態にする一括オン制御を行う。
【００９７】
この態様によれば、オン状態の機器の数が比較的多い場合、全ての機器を一括してオンすることができる。
【００９８】
第３態様に係る制御システム（１）では、第２態様において、複数の機器は、複数のグループに分類されている。機器制御部（３２）は、複数のグループごとに、一括オン制御を行う。
【００９９】
この態様によれば、グループ単位で複数の機器を一括オン制御することができる。
【０１００】
第４態様に係る制御システム（１）では、第２又は第３態様において、複数の機器の各々は、複数の操作装置（２）のうち２以上の操作装置（２）と対応している。機器制御部（３２）は、複数の機器のうち、対応する２以上の操作装置（２）の全てが第２状態である機器の割合がオフ閾値以上である場合、対応する２以上の操作装置（２）の全てが第２状態である機器をオフ状態にする個別オフ制御を行う。
【０１０１】
この態様によれば、オフ可能な機器の数が比較的多い場合、オフ可能な機器を個別にオフすることができる。
【０１０２】
第５態様に係る制御システム（１）では、第４態様において、複数の機器は、複数のグループに分類されている。機器制御部（３２）は、複数のグループごとに、個別オフ制御を行う。
【０１０３】
この態様によれば、グループ単位で複数の機器を個別オフ制御することができる。
【０１０４】
第６態様に係る制御システム（１）では、第１〜第５態様のいずれかにおいて、機器は、照明機器（４）であって、オン状態が照明機器（４）の点灯状態であり、オフ状態が照明機器（４）の消灯状態である。機器制御部（３２）は、照明機器（４）を点灯状態から消灯状態にするまでの消灯遷移時間を、照明機器（４）を消灯状態から点灯状態にするまでの点灯遷移時間よりも長くする。
【０１０５】
この態様によれば、照明機器（４）を消灯した場合におけるユーザの違和感を軽減することができる。
【０１０６】
第７態様に係る制御装置（３）は、第１〜第６態様のいずれかの制御システム（１）に用いられる制御装置（３）であって、複数の操作装置（２）から操作状態を取得する取得部（通信部３１）と、機器制御部（３２）と、を備える。
【０１０７】
この態様によれば、機器を複数の操作装置（２）で制御することができ、利便性の向上を図ることができる。
【０１０８】
第８態様に係る制御方法は、入力操作によって操作状態が第１状態と第２状態との間で変化する複数の操作装置（２）の操作状態に基づいて、複数の機器に対して動作状態がオン状態とオフ状態とで切り替わるように制御する制御ステップを含む。複数の操作装置（２）の各々は、複数の機器のうち２以上の機器と対応している。制御ステップでは、操作装置（２）の操作状態が第１状態に変化した場合、複数の操作装置（２）の各々に対して、操作状態と、対応する機器の動作状態と、を関連付けて記憶した記憶部（３３）を参照し、操作装置（２）に対応する２以上の機器の動作状態をオン状態とする。制御ステップでは、操作装置（２）の操作状態が第２状態に変化した場合、記憶部（３３）を参照して、操作装置（２）に対応する２以上の機器からオン対象機器を除くオフ対象機器を検索し、当該オフ対象機器の動作状態をオフ状態とする。オン対象機器は、第２状態に変化した操作装置（２）に対応する機器であって、複数の操作装置（２）のうち第１状態である操作装置（２）に対応する機器である。
【０１０９】
この態様によれば、機器を複数の操作装置（２）で制御することができ、利便性の向上を図ることができる。
【０１１０】
本開示の一態様に係るプログラムは、コンピュータシステムに、第８態様の制御方法を実行させる。
【０１１１】
この態様によれば、機器を複数の操作装置（２）で制御することができ、利便性の向上を図ることができる。
【符号の説明】
【０１１２】
１  制御システム
２  操作装置
３  制御装置
３１  通信部（取得部）
３２  機器制御部
３３  記憶部
４  照明機器（機器）
【図１】
2020140902.tif 000007
【図２】
2020140902.tif 000008
【図３】
2020140902.tif 000009